(57)【要約】【課題】引戸の戸先の引手に組み込まれた引戸ラッチ装置に適用することができる、位置調整板の調整が非常に簡単である、構成する部品点数が少ない、縦枠の表面に埋設状態に組み込む必要がないこと。  【解決手段】引戸用の窓枠を形成する縦枠の表面に固定されると共に垂直長孔を有する固定板と、この固定板の一側表面に垂直長孔の範囲内で無段階又はその表面に形成された上下一対の段差部分の範囲内における複数段階で引戸の開閉方向に位置調整することができるように重合配設され、かつ重合配設された状態で前記垂直長孔と連通する第１固定手段用貫通孔を有する位置調整板と、貫通孔及び垂直長孔を貫通して位置調整板を固定板に結合する第１固定手段とから成る引戸ラッチ装置用錠受。【選択図】図４
2015004169.tif 000002
【特許請求の範囲】
【請求項１】
引戸用の窓枠を形成する縦枠の表面に固定されると共に垂直長孔を有する固定板と、この固定板の一側表面に前記垂直長孔の範囲内で無段階、又はその表面に形成された上下一対の段差部分の範囲内における複数段階で引戸の開閉方向に位置調整することができるように重合配設され、かつ重合配設された状態で前記垂直長孔と連通する第１固定手段用貫通孔を有する位置調整板と、前記貫通孔及び前記垂直長孔を貫通して前記位置調整板を前記固定板に結合する前記第１固定手段とから成る引戸ラッチ装置用錠受。
【請求項２】
請求項１に於いて、前記位置調整板が前記固定板に対して前記垂直長孔の範囲内で無段階に引戸の開閉方向に位置調整することができる場合には、前記固定板は前記縦枠に固定される固定板部分と、この固定板部分の一端部から折り曲げ状態で引戸の開く方向に延在すると共に前記垂直長孔を有する端板部分とから成り、一方、位置調整板は前記端板部分の一側表面にその背面が重合すると共に、前記垂直長孔に対して常にその一部分が連通する傾斜状の前記貫通孔を有し、また位置調整板の前記傾斜状の貫通孔の上下の部位の少なくとも一方には、前記第１固定手段とは別個の第２固定手段が貫通する水平長孔が形成され、さらに、位置調整板の引戸の戸先側である先端部には、前記引戸の戸先に固定的に組み込まれた引戸ラッチ装置の係止片が係入する係止孔が形成されていることを特徴とする引戸ラッチ装置用錠受。
【請求項３】
請求項１に於いて、前記位置調整板が前記固定板に対しての範囲内における複数段階で引戸の開閉方向に位置調整することができる場合には、前記固定板は縦枠に対して上下方向に位置調整され、一方、位置調整板は前記段差部分としての前記固定板の一側表面と、該一側表面よりも奥の凹所或いは開口と、前記一側表面よりも手前の凸所のいずれかにその上下の両端部が重合する添設部分と、この添設部分の一端部から折り曲げ状態で引戸の開く方向に延在すると共に引戸の戸先に固定的に組み込まれた引戸ラッチ装置の係止片が係入する係止孔を有する係合板部分とから成ることを特徴とする引戸ラッチ装置用錠受。
【請求項４】
引戸用の窓枠を形成する縦枠の表面に固定されると共に、傾斜状案内長孔を有する固定板と、この固定板の一側表面に前記傾斜状案内長孔の範囲内で無段階に引戸の開閉方向に位置調整することができるように重合配設され、かつ重合配設された状態で前記傾斜状案内長孔と連通する垂直長孔を有する位置調整板と、前記垂直長孔及び傾斜状案内長孔を貫通して前記位置調整板を前記固定板に結合する第１固定手段とから成る引戸ラッチ装置用錠受。
【請求項５】
請求項４に於いて、位置調整板は、その上端部と下端部に水平長孔を有すると共に、引戸の開閉方向の端部に垂直方向の係止孔を有することを特徴とする引戸ラッチ装置用錠受。
【発明の詳細な説明】
【技術分野】
【０００１】
本発明は引戸ラッチ装置用錠受に関し、特に、引戸の戸先の引手に組み込まれた引戸ラッチ装置に適用することができる、引戸ラッチ装置用錠受に関する。
【背景技術】
【０００２】
図２０の（ａ）と（ｂ）は、特許文献１に記載の錠受Ｘを概略的に示したものである。この錠受Ｘは、基本的には、引戸の戸先に取付けられた鎌錠と対抗することができるように窓枠の縦枠の表面に埋設状態に固定されるストライクボックス（１）と、このストライクボックス（１）の内に支軸（２）を介して揺動可能に配設され、鎌の先端部と係合する鎌用の係合板部分（３ａ）及び傾斜状ガイド長孔（３ｂ）を有するフックレバー（３）と、上端部に前記傾斜状ガイド長孔（３ｂ）と係合するピン（４）を有し、一方、下端部に上下方向の摺動長孔（５）を有し、前記スライドボックス（１）の内壁に沿って長手方向に摺動可能に配設されたスライドプレート（６）と、このスライドプレートをＹ軸方向（上下方向）に移動させることにより、前記フックレバー（３）の傾倒位置を調整した後に、該スライドプレート（６）を、固定する止めネジ（７）とから構成されていた。
【０００３】
したがって、図２０の（ａ）と（ｂ）は、フックレバー（３）の傾斜状のガイド長孔（３ｂ）と常時係合するスライドプレート（６）のピン（４）のＹ軸方向の位置如何によってフックレバー（３）の係合板部分（３ａ）の位置が、Ｘ軸方向（窓枠内を水平移動する引戸の開閉方向）に位置調整できる旨を示したものである。
【０００４】
この特許文献１の錠受Ｘは、例えば経年と共に窓枠や引戸（障子）が変形すると、障子側の鎌錠と窓枠側の錠受Ｘとの間に間隙が生ずることに配慮して、錠受Ｘを構成するフックレバー（３）の位置を調整することができるという利点があるものの、該錠受Ｘは、箱形状のストライクボックス（１）を窓枠の縦枠の表面に埋設状態に組み込まなければならない点、構成する部品点数が多い点、ストライクボックス（１）内に配設されたスライドプレート（６）を上下方向に位置調整しなければならないので、その調整が非常に面倒である点、特許文献２に記載されているように、手掛け片（引手部分）を操作してラッチの係合爪を受け具の係合孔から離すような引戸ラッチ装置に適用することができない点等の問題点があった。
【０００５】
なお、特許文献２乃至特許文献４は、いずれも鎌錠（戸先鎌錠）に対する受け具（ストライク）であり、これらの発明の課題は、引戸の閉鎖時、鎌片の先端鉤部とストライクの係合部分の裏面との間に間隙（例えば１ミリや数ミリ程度）が生じて閉鎖状態の引戸にがたつきが生ずることや、前記鎌片の先端鉤部がストライクの係合部分にうまい具合に係合しない（鉤部が係合部分に衝突）といったような問題点を解消するために提案されているが、これらの特許文献にも、特許文献２に記載されているような引戸の戸先の引手に組み込まれたラッチ装置に適用することができる旨の記載や示唆はない。
【先行技術文献】
【特許文献】
【０００６】
【特許文献１】実開昭５８−１４３９４７号公報
【特許文献２】特開平１１−１７２９８２号公報
【特許文献３】実公昭５８−４６１９４号公報
【特許文献４】実開昭６１−１７３６６５号公報
【特許文献５】特開平１０−２６６６４６号公報
【発明の概要】
【発明が解決しようとする課題】
【０００７】
本願発明の主たる目的は、引戸の戸先の引手に組み込まれたラッチ装置に適用することができることである。次に本願発明の目的は、特許文献２乃至特許文献４の問題点に鑑み、位置調整板の調整が非常に簡単である錠受を提供することである。次に、本願発明の目的は、構成する部品点数が少なく、縦枠の表面に埋設状態に組み込む必要がないことである。
【課題を解決するための手段】
【０００８】
本発明の引戸ラッチ装置用錠受は、引戸用の窓枠を形成する縦枠の表面に固定されると共に垂直長孔を有する固定板と、この固定板の一側表面に前記垂直長孔の範囲内で無段階、又はその表面に形成された上下一対の段差部分の範囲内における複数段階で引戸の開閉方向に位置調整することができるように重合配設され、かつ重合配設された状態で前記垂直長孔と連通する第１固定手段用貫通孔を有する位置調整板と、前記貫通孔及び前記垂直長孔を貫通して前記位置調整板を前記固定板に結合する前記第１固定手段とから成ることを特徴とする。
【０００９】
上記構成に於いて、前記位置調整板が前記固定板に対して前記垂直長孔の範囲内で無段階に引戸の開閉方向に位置調整することができる場合には、前記固定板は前記縦枠に固定される固定板部分と、この固定板部分の一端部から折り曲げ状態で引戸の開く方向に延在すると共に前記垂直長孔を有する端板部分とから成り、一方、位置調整板は前記端板部分の一側表面にその背面が重合すると共に、前記垂直長孔に対して常にその一部分が連通する傾斜状の前記貫通孔を有し、また位置調整板の前記傾斜状の貫通孔の上下の部位の少なくとも一方には、前記第１固定手段とは別個の第２固定手段が貫通する水平長孔が形成され、さらに、位置調整板の引戸の戸先側である先端部には、前記引戸の戸先に固定的に組み込まれた引戸ラッチ装置の係止片が係入する係止孔が形成されていることを特徴とする（第１実施形態）。
【００１０】
また、上記構成に於いて、前記位置調整板が前記固定板に対しての範囲内における複数段階で引戸の開閉方向に位置調整することができる場合には、前記固定板は縦枠に対して上下方向に位置調整され、一方、位置調整板は前記段差部分としての前記固定板の一側表面と、該一側表面よりも奥の凹所或いは開口と、前記一側表面よりも手前の凸所のいずれかにその上下の両端部が重合する添設部分と、この添設部分の一端部から折り曲げ状態で引戸の開く方向に延在すると共に引戸の戸先に固定的に組み込まれた引戸ラッチ装置の係止片が係入する係止孔を有する係合板部分とから成ることを特徴とする（第２実施形態）。
【００１１】
さらに、本発明の引戸ラッチ装置用錠受は、引戸用の窓枠を形成する縦枠の表面に固定されると共に、傾斜状案内長孔を有する固定板と、この固定板の一側表面に前記傾斜状案内長孔の範囲内で無段階に引戸の開閉方向に位置調整することができるように重合配設され、かつ重合配設された状態で前記傾斜状案内長孔と連通する垂直長孔を有する位置調整板と、前記垂直長孔及び傾斜状案内長孔を貫通して前記位置調整板を前記固定板に結合する第１固定手段とから成ることを特徴とする（第３実施形態）。
【発明の効果】
【００１２】
（ａ）請求項１に記載の発明は、引戸の戸先の引手に組み込まれたラッチ装置に適用することができる、位置調整板の調整が非常に簡単である、構成する部品点数が少ない、縦枠の表面に埋設状態に組み込む必要がない等の利点がある。  
（ｂ）請求項２及び請求項４に記載の発明は、位置調整板を固定板に形成した垂直長孔の範囲内で引戸の開閉方向に無段階に調整することができる。
（ｃ）請求項３に記載の発明は、位置調整板を固定板の表面に形成された上下一対の段差部分の範囲内で引戸の開閉方向に複数段階調整することができる。
（ｃ）なお、請求項４及び請求項５に記載の発明は、第１実施形態の垂直長孔と傾斜状の案内長孔を入れ替えたものであるが、このように、垂直長孔、傾斜状の案内長孔等を適宜に設計変更しても、第１実施形態と同様の作用効果がある。それ故、固定板に水平長孔を設けるか、それとも位置調整板に水平長孔を設けるかも、当業者にとっては均等の範囲内である。    
【図面の簡単な説明】
【００１３】
図１乃至図８は本発明の第１実施形態を示す各説明図、図９乃至図１７は本発明の第２実施形態を示す各説明図、図１７乃至図１９は本発明の第３実施形態を示す各説明図である。
【図１】平面視からサッシ式窓枠の縦枠内の表面に固定された錠受（図面右側）と、引戸（障子）の戸先の縦框に組み込まれた引戸ラッチ装置（図面左側）の概略説明図（施錠状態）。
【図２】図１に於いて、引手操作片を手前に引き、ラッチの係合爪を錠受（図面右側）の調整板の係合孔から解錠した状態の概略説明図。
【図３】本発明の主要部を示す平面視からの概略説明図。
【図４】手前側から見た斜視図（結合状態）。
【図５】裏側から見た斜視図（結合状態）。
【図６】窓枠の縦枠と共に、錠受を構成する各部材を分解した説明図。
【図７】第１固定手段を固定板の垂直長孔の上限位置に設定した場合における位置調整板の位置の概略説明図。
【図８】第１固定手段を固定板の垂直長孔の下限位置に設定した場合における位置調整板の位置の概略説明図。
【図９】第２実施形態の図１と同様の概略説明図。
【図１０】図４と同様の斜視図（結合状態）。
【図１１】図１０における分解斜視図。
【図１２】構成部材を分離した状態の概略断面説明図。
【図１３】図１２の１３−１３線断面図
【図１４】構成部材を結合した状態の概略断面説明図（基準図）。
【図１５】構成部材を結合した状態の概略断面説明図（固定板を下方向に配設）。
【図１６】構成部材を結合した状態の概略断面説明図（固定板を上方向に配設）。
【図１７】第３実施形態の図４と同様の斜視図（結合状態）
【図１８】第３実施形態の固定板の斜視図。
【図１９】第３実施形態の位置調整板の斜視図。
【図２０】（ａ）と（ｂ）は特許文献１に記載の錠受の概略説明図。
【発明を実施するための最良の形態】
【００１４】
図１乃至図８は本発明の第１実施形態を示す各説明図、図９乃至図１６は本発明の第２実施形態を示す各説明図である。まず、図１及び図２を参照にして、本発明の主要部（錠受）の環境を説明する。
【００１５】
本発明の錠受Ｘ１は、前述したように、「特許文献２」に記載されているような「引戸ラッチ装置」に適用される。
【００１６】
したがって、図１及び図２に於いて、図面右側のＸ１は、サッシ式窓枠１１の縦枠１２のコ字枠内の表面（内面）１３に固定された錠受で、一方、図面左側のＹ１は、引戸（障子）Ｚ１の戸先の縦框６０に組み込まれた引戸ラッチ装置である。サッシ式窓枠１１、戸先の縦框６０及び引戸ラッチ装置Ｙ１の具体的構成は本発明の特定要件ではないので、概略的に示してある。
【００１７】
引戸ラッチ装置Ｙ１は、引戸式キャビネットやサッシ式窓枠１１に左右方向にスライド自在に設けられた引戸（障子）Ｚ１を引手ケース６１に垂直軸６２を介して該垂直軸まわりに回転可能に設けられた係止片としてのラッチ６３によって、閉鎖状態の引戸Ｚ１を窓枠１１の錠受Ｘ１に拘束（図１）し、又は引戸Ｚ１を開く際、ラッチ６３に一体的に設けられた、或いはラッチ６３と共に一体成形された引手操作片６４を、例えば引戸Ｚ１を開く際の引き動作と共に解除するものである（図２）。
【００１８】
付言すると、引戸ラッチ装置Ｙ１は、引戸の開閉方向Ｘである左右方向に移動する引戸Ｚ１を図示しない付勢手段より係止方向に回転付勢されたラッチ６３の先端鉤部６３ａを、後述する錠受Ｘ１の係止孔３６に係止させることにより、引戸Ｚ１を錠受Ｘ１に閉じた状態に拘束する。そこで、引戸Ｚ１の閉戸時、ラッチ６３の先端鉤部６３ａが錠受Ｘ１の係止孔３６に丁度良く係入させる必要がある。
【００１９】
本発明の錠受Ｘ１は、図３で示すように、縦枠１２のコ字枠内の表面（内面）１３に固定された非箱型形態である断面Ｌ型形状かつ長板状の固定板２１と、該固定板２１の端板部分２４に固定された長板状の位置調整板３１とを備えている。前記固定板２１の端板部分２４は前記縦枠１２の表面（内面）１３と直交する対向側壁１４、１４と平行に対向する。
【００２０】
そこで、図４乃至図８を参照にしてさらに詳しく説明する。図４は手前側から見た斜視図、一方、図５は裏側から見た斜視図、そして、図６は窓枠１１の縦枠１２と共に、錠受Ｘ１を構成する各部材を分解した説明図である。
【００２１】
本明細書では、技術的原理が異なる第１実施形態と第２実施形態をそれぞれ記載しているが、両実施形態の発明の主たる課題は共通であり、その上位概念的構成は、引戸用の窓枠を形成する縦枠の表面に固定されると共に垂直長孔２３を有する固定板（２１、２１Ａ）と、この固定板の一側表面に前記垂直長孔２３の範囲内で無段階、又はその表面に形成された上下一対の段差部分の範囲内における複数段階で引戸の開閉方向に位置調整することができるように重合配設され、かつ重合配設された状態で前記垂直長孔２３と連通する第１固定手段（３３）用貫通孔（３２、２６Ａ）を有する位置調整板（３１、３１Ａ）と、前記貫通孔（３２、２６Ａ）及び前記垂直長孔２３を貫通して前記位置調整板（３１、３１Ａ）を前記固定板（２１、２１Ａ）に結合する前記第１固定手段（３３）とから成るものである。
【００２２】
最初に説明する第１実施形態の錠受Ｘ１は、位置調整板３１が端面Ｌ型の固定板２１に対して、端板部分２４に形成された垂直長孔２３の範囲内で無段階に引戸の開閉方向Ｘに位置調整することができる。
【００２３】
すなわち、この無段階（微調整可能）な実施形態の場合には、例えば図６で示すように固定板２１は、縦枠１２のコ字枠内の表面（内面）１３に固定される固定板部分２２と、この固定板部分２２の向う側の一端部から折り曲げ状態で引戸Ｚ１の開く方向に延在すると共に、所定長の垂直長孔２３を有する端板部分２４とから成る。
【００２４】
そして、前記固定板部分２２の上下端部寄りの部位には、複数の第１固着具２５用の円形の取付け孔２６が上下一対形成されている。一方、前記端板部分２４の上下端部寄りの部位には、後述する第２固定手段３４用の円形の取付け孔２８が上下一対形成されている。
【００２５】
固定板部分２２の取付け孔２６を貫通する第１固着具２５は、例えばボルトのみであり、該ボルトは縦枠１２に形成したメネジ部１５に螺着する。また端板部分２４の背面と縦枠１２の対向側壁１４の内面との間には空間部分（図１、図２参照）が存在するものの、実施形態では前述した取付け孔２８はメネジなので、端板部分２４の方の第２固着具２７も、ボルトのみである。もちろん、第２固着具２７を、取付け孔２８を貫通するボルトと、該ボルトに螺合する固定ナットから成るものであっても良い。
【００２６】
一方、平板状の位置調整板３１は、固定板部分２２の端板部分２４の一側表面２４ａにその背面が重合すると共に、端板部分２４の垂直長孔２３に対して常にその一部分が連通する傾斜状の貫通孔３２を有し、また位置調整板３１の前記傾斜状の貫通孔３２の上下の部位の少なくとも一方、実施形態では上下の部位には、位置決め用の第１固定手段３３とは別個の複数の第２固定手段３４が貫通する上下一対の水平長孔３５が形成され、さらに、位置調整板３１の引戸Ｚ１の戸先側である先端部には、前記引戸Ｚ１の戸先に固定的に組み込まれた引戸ラッチ装置Ｙ１の係止片としてのラッチ６３が係入する縦長状の係止孔３６が形成されている。
【００２７】
次に、上記構成における位置調整板３１のＸ軸方向（引戸の開閉方向）の位置調整について説明する。公知の図２０の（ａ）と（ｂ）の実施形態では、軸２に軸支されたフックレバー（３）の回転角度を位置調整する際の技術的原理は、その傾斜状のガイド長孔（３ｂ）と常時係合するスライドプレート（６）のピン（４）のＹ軸方向の位置如何によって、フックレバー（３）の係合板部分（３ａ）の位置が、Ｘ軸方向（窓枠内を水平移動する引戸の開閉方向）に位置調整できる。
【００２８】
基本的には、本発明の位置調整板３１のＸ軸方向の位置調整も、位置調整板３１の傾斜状の貫通孔３２と固定板２１の端板部分２４の垂直長孔２３の両孔を貫通する位置決め用の第１固定手段３３のＹ軸方向の位置如何によって決定付けられる点は同様である。
【００２９】
しかして、本発明の位置調整板３１は、固定板２１の端板部分２４にピンを介して軸支されるものではなく、前述したように、引戸用の窓枠１１を形成する縦枠１２の表面に固定されると共に垂直長孔２３を有する固定板２１と、この固定板の一側表面に前記垂直長孔２３の範囲内で無段階に引戸Ｚ１の開閉方向Ｘに位置調整することができるように重合配設され、かつ重合配設された状態で前記垂直長孔２３と連通する第１固定手段用の傾斜状の貫通孔３２を有する平板状の位置調整板３１と、前記傾斜状の貫通孔３２及び前記垂直長孔２３を貫通して前記位置調整板３１を前記固定板２１に結合する前記第１固定手段３３とから成るものであることから、前記第１固定手段３３は、固定ボルト３３ａと、この固定ボルト３３ａに螺合する固定ナット３３ｂとから構成されている。
【００３０】
したがって、本発明の位置調整板３１を位置調整する際は、錠受Ｘ１は、いわば「非箱体の裸状態」であるから、固定ナット３３ｂを固定ボルト３３ａから外し、図７又は図８で示すように、固定ボルト３３ａを固定板の垂直長孔の上限位置乃至下限位置に設定できる範囲内（垂直長孔２３の範囲内）で位置決めした後に、固定ナット３３ｂを固定ボルト３３ａに再び螺着すれば良い。
【実施例】
【００３１】
第１実施形態の位置決め用第１固定手段３３は、ボルト３３ａとナット３３ｂとから成り、該位置決め用第１固定手段３３の固定板２１の垂直長孔２３の上下位置如何（Ｙ軸の位置）によって、位置調整板３１の左右方向の位置が無段階調整され得る。次に説明する第２実施形態は第１実施形態とは技術的原理が異なるものの、本明細書で説明する。なお、第２実施形態の説明に当って、第１実施形態と同一の部分には同一又は同様の符号を付して重複する説明を割愛する。
【００３２】
図９乃至図１６で示す第２実施形態の錠受Ｘ２が第１実施形態の発明の課題と主に異なる点は、位置調整板３１Ａを固定板２１Ａの表面に形成された上下一対の段差部分の範囲内で引戸の開閉方向Ｘに複数段階調整することができることである。その他の発明の課題は、第１実施形態と同一である。
【００３３】
次に、第１実施形態の発明の構成と主に異なる点は、（ａ）固定板２１Ａが端面Ｌ型ではなく、単なる段差状の長板体であるため、その上端部・下端部が紐状或いは帯状である点である点、（ｂ）一方、位置調整板３１Ａが一部Ｌ型に形成されている点、（ｃ）前記固定板２１Ａは、図１４を基準図にすると、図１５の如く、固定板２１Ａを下方向に配設した上で、位置調整板３１ＡをＸ軸方向に位置調整でき、また、図１４を基準図にすると、図１６の如く、固定板２１Ａを上方向に配設した上で、位置調整板３１ＡをＸ軸方向に位置調整できる点、（ｄ）一方、位置調整板３１Ａは段差部分としての固定板２１Ａの一側表面２１ａと、該一側表面２１ａよりも奥の凹所４１或いは開口と、前記一側表面２１ａよりも手前の凸所４２のいずれかにその上下の両端部が重合する添設部分４３と、この添設部分４３の一端部から折り曲げ状態で引戸Ｚ１の開く方向Ｘに延在すると共に引戸の戸先に固定的に組み込まれた引戸ラッチ装置Ｙ１の係止片６３が係入する係止孔３６を有する係合板部分４４とから成る点、（ｅ）第１固定手段３３は、第１実施形態の第１固着具２５の機能を兼用している点、したがって、位置調整板３１Ａの上下端部寄りの上下一対の皿状の孔２６Ａは、固定板２１Ａの垂直長孔２３を貫通して縦枠に形成したメネジ部１５に螺着する点等である。
【００３４】
上記のように構成しても、位置調整板３１Ａの調整が「段階的」ではあるものの、「一定の範囲」に於いて、第１実施形態と同一の目的・効果を得ることができる。
最後に図１７乃至図１９で示す第３実施形態の錠受Ｘ３が第１実施形態と異なる点は、第１実施形態の垂直長孔２３と傾斜状の案内長孔３２を入れ替えたものである。
【００３５】
すなわち、固定板２１Ｂの方に垂直長孔ではなく傾斜状の案内長孔３２を形成し、一方、位置調整板３１Ｂの方に傾斜状の案内長孔ではなく垂直長孔２３を形成したものである。その他水平長孔３５を位置調整板３１Ｂの方に形成するか、それとも固定板２１Ｂの方に形成するかも、均等の範囲であるが、このように少なくとも垂直長孔２３と傾斜状の案内長孔３２を入れ替えも第１実施形態と同様の作用・効果がある。なお、図１７は、第３実施形態の図４と同様の斜視図（結合状態）なので、同一の部分には同一の符号を援用して重複する説明を割愛する。
【産業上の利用可能性】
【００３６】
本発明は、錠前や建具の分野で利用することができる。
【符号の説明】
【００３７】
Ｘ１、Ｘ２…錠受、Ｙ１…引戸ラッチ装置、Ｚ１…引戸（障子）、６０…縦框、６１…引手ケース、６３…係止片としてのラッチ、１１…サッシ式窓枠、１２…縦枠、１３…縦枠の表面（内面）、１４…対向側壁、２１、２１Ａ、２１Ｂ…固定板、２２…固定板部分、２４…端板部分、２３…垂直長孔、２５…第１固着具、２８…取付け孔、３１、３１Ａ、３１Ｂ…位置調整板、３２…傾斜状の貫通孔、３３…第１固定手段、３５…水平長孔、３６…係止孔、Ｘ…引戸の開閉方向、Ｙ…垂直方向、２１ａ…一側表面、４１…凹所、４２…凸所、４３…添設部分、４４…係合板部分。
【図１】
2015004169.tif 000003
【図２】
2015004169.tif 000004
【図３】
2015004169.tif 000005
【図４】
2015004169.tif 000006
【図５】
2015004169.tif 000007
【図６】
2015004169.tif 000008
【図７】
2015004169.tif 000009
【図８】
2015004169.tif 000010
【図９】
2015004169.tif 000011
【図１０】
2015004169.tif 000012
【図１１】
2015004169.tif 000013
【図１２】
2015004169.tif 000014
【図１３】
2015004169.tif 000015
【図１４】
2015004169.tif 000016
【図１５】
2015004169.tif 000017
【図１６】
2015004169.tif 000018
【図１７】
2015004169.tif 000019
【図１８】
2015004169.tif 000020
【図１９】
2015004169.tif 000021
【図２０】
2015004169.tif 000022